(57)【要約】【課題】遊技盤を収納する収納部の収納スペースを大きく設定するために、遊技機内部の球排出のための機構の配置箇所を工夫して、遊技盤の大型化に対応できる遊技機を提供する。【解決手段】遊技領域７が形成された遊技盤ユニット５を収納する遊技盤収納部７０を有する本体枠１３と、遊技球が貯留される上皿１６（球供給皿）と、補給タンク２０球貯留部）が貯留する遊技球を上皿１６へ排出する球排出装置２０１と、を備える遊技機１において、遊技盤ユニット５は、球排出装置２０１によって排出される遊技球を上皿１６へ流下案内する上部遊技盤流下路７８及び下部遊技盤流下路７９（球流下路）が形成されている。【選択図】  図６
2007236816.tif 000002
【特許請求の範囲】
【請求項１】
遊技領域が形成された遊技盤ユニットを収納する収納部を有する本体枠と、
遊技球が貯留される球供給皿と、
球貯留部が貯留する遊技球を前記球供給皿へ排出する球排出装置と、を備える遊技機において、
前記遊技盤ユニットは、該球排出装置によって排出される遊技球を前記球供給皿へ流下案内する球流下路が形成されていることを特徴とする遊技機。
【請求項２】
前記遊技盤ユニットは、前記球排出装置によって排出される遊技球を前記球流下路へ導入する球流入部と、前記球流下路から流下する遊技球を前記球供給皿へ向けて流出する球流出部と、を有し、
前記球排出装置は、前記本体枠側の所定部位であって、前記球流入部よりも高い位置に設けられていることを特徴とする請求項１に記載の遊技機。
【請求項３】
前記遊技盤ユニットの裏面には凹部が形成され、
前記収納部の一部が前記凹部を覆うことによって、前記球流下路が形成されることを特徴とする請求項１又は２に記載の遊技機。
【請求項４】
前記遊技盤ユニットは、発射球が移動できる領域を区画して前記遊技領域を形成する区画部材が表面側の隅部に備えられ、該区画部材の裏面側に前記球流下路が形成され、
前記収納部には、前記遊技盤ユニットを収納した場合に該遊技盤ユニットの側部と接する位置に、前記区画部材の裏面側に形成された球流下路と連通する連通流下路が形成されていることを特徴とする請求項１から３のいずれか１つに記載の遊技機。
【発明の詳細な説明】
【技術分野】
【０００１】
本発明は、遊技機に関し、特に、遊技球払出機能を備えたパチンコ機に関する。
【背景技術】
【０００２】
従来、遊技盤に形成された遊技領域を流下する遊技球が入賞口に入球することにより、所定個数の遊技球が賞球として球貯留部から受皿へ払い出されるように構成されたパチンコ機に適用される球抜き構造であって、賞球の球貯留部から受皿に向けての払い出しを案内する球流下経路と、球貯留部に残留した遊技球を抜き出す抜出し経路とを備えたものがある。このパチンコ機では、賞球の球貯留部から受皿に向けて、賞球を払い出すための賞球払出し装置と、貸球を払い出すための貸球払出し装置とが設けられている（例えば、特許文献１）。
【特許文献１】特開２００３−２３６１９３号公報
【発明の開示】
【発明が解決しようとする課題】
【０００３】
従来のパチンコ機等の遊技機は、本体枠の前面に遊技盤が配置されているものが主流である（例えば、特許文献１の図１参照）。そして、本体枠に賞球払出し装置、貸球払出し装置、その他の球排出のための流路が設けられている。
【０００４】
一般に、パチンコ機の遊技盤には、大型の画像表示装置や照明装置などが設けられているが、近年これらの画像表示装置や照明装置が大型化する傾向にあり、また、遊技盤自体も大型化している。そのため、遊技盤を収納する本体枠に設けられた遊技盤収納部の収納スペースを広くする要望が高まりつつあるが、前述した特許文献１に記載された従来の遊技機のように、遊技盤収納部（特許文献１では環状構造体５１）に球排出のための機構が残っているので、これ以上遊技盤収納部の収納スペースの拡大は困難である。
【０００５】
そこで本発明は、遊技盤を収納する収納部の収納スペースを大きく設定するために、球排出のための機構の配置箇所を工夫して、遊技盤の大型化に対応できる遊技機を提供することを目的とする。
【課題を解決するための手段】
【０００６】
第１の発明は、遊技領域が形成された遊技盤ユニットを収納する収納部を有する本体枠と、遊技球が貯留される球供給皿と、球貯留部が貯留する遊技球を前記球供給皿へ排出する球排出装置と、を備える遊技機において、前記遊技盤ユニットは、該球排出装置によって排出される遊技球を前記球供給皿へ流下案内する球流下路が形成されている。
【０００７】
第２の発明は、第１の発明において、前記遊技盤ユニットは、前記球排出装置によって排出される遊技球を前記球流下路へ導入する球流入部と、前記球流下路から流下する遊技球を前記球供給皿へ向けて流出する球流出部と、を有し、前記球排出装置は、前記本体枠側の所定部位であって、前記球流入部よりも高い位置に設けられている。
【０００８】
第３の発明は、第１から第２の発明において、前記遊技盤ユニットの裏面には凹部が形成され、前記収納部の一部が前記凹部を覆うことによって、前記球流下路が形成される。
【０００９】
第４の発明は、第１から第３の発明において、前記遊技盤ユニットは、発射球が移動できる領域を区画して前記遊技領域を形成する区画部材が表面側の隅部に備えられ、該区画部材の裏面側に前記球流下路が形成され、前記収納部には、前記遊技盤ユニットを収納した場合に該遊技盤ユニットの側部と接する位置に、前記区画部材の裏面側に形成された球流下路と連通する連通流下路が形成されている。
【発明の効果】
【００１０】
第１の発明によれば、遊技領域が形成された遊技盤ユニットを収納する収納部を有する本体枠と、遊技球が貯留される球供給皿と、球貯留部が貯留する遊技球を前記球供給皿へ排出する球排出装置と、を備える遊技機において、前記遊技盤ユニットは、該球排出装置によって排出される遊技球を前記球供給皿へ流下案内する球流下路が形成されているので、従来であれば本体枠側に形成していた球流下路を遊技盤ユニット側に移設することが出来るようになり、その分だけ本体枠に球流下路を確保するためのスペースが不要になる。その結果、遊技盤ユニットを収納する収納部の拡大が可能となり、遊技盤ユニットを大型化することができる。
【００１１】
第２の発明によれば、前記遊技盤ユニットは、前記球排出装置によって排出される遊技球を前記球流下路へ導入する球流入部と、前記球流下路から流下する遊技球を前記球供給皿へ向けて流出する球流出部と、を有し、前記球排出装置は、前記本体枠側の所定部位であって、前記球流入部よりも高い位置に設けられているので、遊技盤ユニットよりも上方のスペースに球排出装置を配置することによって、遊技盤ユニットと球排出装置とが干渉しないように配置することができ、さらに遊技盤ユニットを大型化することができる。
【００１２】
第３の発明によれば、前記遊技盤ユニットの裏面には凹部が形成され、前記収納部の一部が前記凹部を覆うことによって、前記球流下路が形成されるので、遊技盤ユニットの裏面のデッドスペースを活かしながら、球流下路の構造を簡略化することができる。
【００１３】
第４の発明によれば、前記遊技盤ユニットは、発射球が移動できる領域を区画して前記遊技領域を形成する区画部材が表面側の隅部に備えられ、該区画部材の裏面側に前記球流下路が形成され、前記収納部には、前記遊技盤ユニットを収納した場合に該遊技盤ユニットの側部と接する位置に、前記区画部材の裏面側に形成された球流下路と連通する連通流下路が形成されているので、球の流下路を遊技盤ユニットと本体枠に分散して設けることが可能となり、遊技盤ユニットの裏面のデッドスペースを活かしながら、本体枠からできるだけ球の流下路を除去することによって遊技盤ユニットを大型化することができる。
【発明を実施するための最良の形態】
【００１４】
以下、本発明の実施の形態について説明する。
【００１５】
（第１の実施の形態）
図１は、本発明の実施の形態の遊技機（パチンコ機）１の斜視図である。なお、本実施の形態の説明において、遊技機１の遊技者が遊技する側（図の左下側）を前として前後方向を示す。
【００１６】
遊技機１の外枠２には、前面枠３の一側がヒンジ４を介して開閉回動可能に取り付けられる。
【００１７】
前面枠３には、ガラス枠９がヒンジ１０を介して開閉回動可能に取り付けられている。ガラス枠９の前面は、略円形状の開口部１１が形成されている。ガラス枠９には、裏面側からカバーガラス１２が組み込まれている。よって、ガラス枠９を閉じた状態で遊技機１を前面視した場合、遊技盤ユニット５の前面はカバーガラス１２で透視可能な状態に覆われている。
【００１８】
前面枠３の要所には、ランプやＬＥＤ等からなる装飾発光装置１５が設けられる。装飾発光装置１５は、大当り遊技状態等のイベント発生時や異常発生時に、遊技機１の遊技状態に対応して発光する。
【００１９】
前面枠３の下部には、遊技球を打球発射装置（図示省略）に案内する上皿１６が配設される。また、前面枠３の下方の固定パネル１７には、下皿１８及び打球発射装置の発射操作部１９が配設される。
【００２０】
一般入賞口（図示省略）、始動入賞口（図示省略）及び特別変動入賞装置（図示省略）に遊技球が入賞すると、入賞した入賞口の種類に応じた数の賞球が、遊技機１内部に設けられた払出ユニット（図示省略）から上皿１６又は下皿１８に排出される。また、上皿１６には、遊技機１に接続されたカードユニット（図示省略）の球貸要求に応じた個数の遊技球が、遊技機１の背面に設けられた補給タンク２０から排出される。補給タンク２０は、後述する球排出装置２０１（図７参照）を備えている。また、補給タンク２０は、この球排出装置２０１を保護するタンクカバー２０２を備えている。
【００２１】
上皿１６の上縁には、カードユニットに挿入されたプリペイドカードの残高を表示するカード残高表示部２１、遊技球の貸し出しを指令する球貸スイッチ２２、及び、プリペイドカードの返却を指令するカード返却スイッチ２３が設けられる。
【００２２】
また、上皿１６の側縁には、上皿１６に貯留された遊技球を下皿１８へ排出するための上皿返却レバー２４が設けられている。
【００２３】
下皿１８の下方には、下皿１８に貯留された遊技球を下方へ排出するための下皿返却レバー２５が設けられている。通常、下皿１８の下方には、図示しない膳板（カウンタ）に遊技球貯留箱が載置される。そして、下皿１８から下方に排出された遊技球は、当該遊技球貯留箱に貯留される。
【００２４】
また、下皿１８の左には、音出力装置（スピーカ）２６及び灰皿２７が設けられる。
【００２５】
次に、遊技機１の内部の構成について説明する。
【００２６】
図２は、本発明の実施の形態のガラス枠９が開放された遊技機１の斜視図であり、遊技領域７が形成された遊技盤ユニット５を前面枠３から分離させた状態を示している。
【００２７】
前面枠３は、遊技盤ユニット５を収納する額縁状の枠体である。前面枠３には、前述したようにガラス枠９がヒンジ１０を介して開閉回動可能に取り付けられている。ガラス枠９の前面は、カバーガラス１２を介して透過される略円形状の開口部１１が形成されている。
【００２８】
前面枠３には、遊技盤ユニット５を収納する空間として遊技盤収納部７０が形成されている。遊技盤収納部７０は、前面枠３の内側の左側面に形成された左側壁７０ａと、前面枠３の内側の右側面に形成された右側壁７０ｄ（図３参照）と、遊技盤ユニット５が載置される遊技盤載置台７０ｃとにより囲まれる空間内に形成されている。また、遊技盤収納部７０の背面には、遊技盤ユニット５に設けられた画像表示装置などの遊技で用いる部材が接触しないように矩形状の開口部３１が形成されており、この開口部３１と左側壁７０ａとの間には、遊技盤ユニット５の左端背面を覆う左後壁７０ｂが形成され、この開口部３１と右側壁７０ｄとの間には、遊技盤ユニット５の右端背面を覆う右後壁７０ｅ（図３参照）が形成されている。
【００２９】
また、前面枠３には、遊技盤収納部７０の上方に前述した補給タンク２０及びタンクカバー２０２が取付けられている。
【００３０】
遊技盤収納部７０は、前面枠３の上側半分以上を占めている。遊技盤収納部７０を形成する左側壁７０ａ、右側壁７０ｄ（図３参照）及び遊技盤載置台７０ｃは、前後幅が遊技盤ユニット５の遊技盤ベース５０（図４参照）の板厚とほぼ同じ面で形成される。遊技盤載置台７０ｃは、左右一連の平面ではなくて途中に段差が形成され、また左右方向のほぼ中央に切欠部３０９が形成され、この切欠部内に、アウト球を排出するためのアウト球受部材（図示省略）が配設できるように構成されている。
【００３１】
遊技盤ユニット５は、この遊技盤載置台７０ｃの上面に載置された状態で遊技盤収納部７０に収納される。このとき、遊技盤ユニット５は、遊技盤収納部７０の左側壁７０ａに設けられた止着金具３４によって一側を着脱可能な状態であって、かつ、遊技盤収納部７０の上側及び右側壁７０ｄ（図３参照）に設けられた固定部材３３によって上側及び他側を固定された状態で、遊技盤収納部７０に収納される。
【００３２】
なお、本実施の形態では、遊技機１を構成する部材のうち、外枠２、前面枠３、ガラス枠９（すなわち、遊技盤ユニット５、遊技制御装置（図示省略）及び表示制御装置（図示省略）以外の部材）が相互に一体化されて本体枠１３を構成する。即ち、遊技盤ユニット５は、この本体枠１３の前面に形成された遊技盤収納部７０に対して着脱可能収納される構成となっている。
【００３３】
この遊技盤ユニット５は、機種毎に異なるデザイン（機種毎に仕様が異なる）が施されているが、本体枠１３は機種全般で共通して利用可能なように構成されている。よって、遊技機１の機種を交換する場合、遊技場は、本体枠１３は交換することなく島設備に残して、遊技盤ユニット５、遊技制御装置及び表示制御装置のみを新たな機種のものに交換すればよい。
【００３４】
また、止着金具３４は、遊技盤ユニット５の左辺の上下の取付部６４に係合して遊技盤ユニット５を掛止する部材である。また、止着金具３４は、弾性を有する部材により形成されており、止着金具３４を前方に撓ませることにより復元力を生じて、この復元力によって遊技盤ユニット５を、後方へ押し付けながら掛止できるように構成されている。
【００３５】
また、固定部材３３は、遊技盤収納部７０の上側及び右側壁７０ｄ（図３参照）に回動可能に取り付けられている。そして、その先端を前面枠３の内側に向けて回動させることで、遊技盤収納部７０に収納された遊技盤ユニット５の前面に当接して、遊技盤ユニット５を後方へ押し付けて固定する。
【００３６】
遊技盤ユニット５は、詳細は図４で後述するが、非透明な板状部材よりなる遊技盤ベース５０及び遊技盤ベース５０の四隅に各々取付けられた樹脂製の区画部材４５によって構成される。遊技盤ユニット５の表面は、区画部材４５で囲われた略円形状の遊技領域７が形成される。遊技盤ユニット５の左側の上部及び下部には、遊技盤収納部７０の止着金具３４を係合する取付部６４が形成されている。遊技盤ユニット５の右上及び右下には、それぞれハンドル部５４が形成されている。遊技盤ユニット５を遊技盤収納部７０に嵌合して後方へ押し付けながら掛止し、遊技盤収納部７０の右側壁７０ｄ（図３参照）に設けた固定部材３３を９０度内側へ回動させて、このハンドル部５４に係合させることによって、遊技盤ユニット５は遊技盤収納部７０に固定される。
【００３７】
遊技領域７には、画像表示装置（図示省略）がほぼ中央に配置される。画像表示装置は、ＬＣＤ（液晶表示器）によって構成される。
【００３８】
このＬＣＤによって表示される表示画面には、複数の変動表示領域が設けられており、各変動表示領域に識別情報（装飾図柄）や特図変動表示ゲームを演出するキャラクタ等、特図変動表示ゲームに関する画像が表示される。すなわち、表示画面の左、中及び右に設けられた変動表示領域には、識別情報として割り当てられた装飾図柄（例えば、「０」〜「９」までの数字及び「Ａ」、「Ｂ」の英文字による１２種類の図柄）が変動表示して特図変動表示ゲームが行われる。その他、表示画面には遊技の進行に基づく画像（例えば、大当り表示、ファンファーレ表示又はエンディング表示等）が表示される。
【００３９】
また、遊技領域７には、図示しない始動入賞口（入賞部）、方向転換部材、普通図柄始動ゲート、複数の一般入賞口及び二つの特別変動入賞装置等が設けられる。
【００４０】
また、遊技領域７には、特図変動表示ゲームの特図表示部及び特図記憶表示部からなる特図表示器（図示省略）が設けられる。また、遊技領域７には、普図変動表示ゲームの普図表示部及び普図記憶表示部からなる普図表示器（図示省略）が設けられる。
【００４１】
遊技機１では、打球発射装置（図示省略）から遊技領域７に向けて遊技球（パチンコ球）が打ち出されることによって遊技が行われる。打ち出された遊技球は、遊技領域７内の各所に配置された釘や風車等の方向転換部材によって転動方向を変えながら遊技領域７を流下する。そして、一般入賞口、始動入賞口又は特別変動入賞装置に入賞するか、遊技領域７の最下部に設けられたアウト口５７から排出される。
【００４２】
一般入賞口への遊技球の入賞は、各一般入賞口に備えられた入賞口センサ（図示省略）によって検出される。
【００４３】
始動入賞口への遊技球の入賞は、特図始動センサ（図示省略）によって検出される。この遊技球の通過タイミングによって抽出された特別図柄乱数カウンタ値は、遊技制御装置内の特図記憶領域に特別図柄入賞記憶として所定回数（例えば、最大で４回分）を限度に記憶される。そして、この特別図柄入賞記憶の記憶数は、特図記憶表示部に表示される。遊技制御装置は、特別図柄入賞記憶に基づいて、特図表示部にて特図変動表示ゲームを行う。
【００４４】
始動入賞口へ遊技球の入賞があると、画像表示装置では、前述した数字等で構成される装飾図柄（識別情報）が順に変動表示して、特図変動表示ゲームに関する画像が表示される。つまり、画像表示装置では、特図表示部の表示に対応する装飾図柄の変動表示が行われる。特図表示部は、変動表示状態と変動表示結果とを遊技者に正確に知らしめる役割を有し、画像表示装置は、興趣向上のために多様な表示を演出する役割を有する。
【００４５】
始動入賞口への入賞が所定のタイミングでなされたとき（具体的には、入賞検出時の特別図柄乱数カウンタ値が当り値であるとき）には大当り遊技状態となり、表示図柄が特定の結果態様を導出する。具体的には、特図表示部は、当り図柄である一桁の特別図柄で停止して、画像表示装置は、三つの装飾図柄が揃った状態（大当り図柄）で停止する。
【００４６】
このとき、二つの特別変動入賞装置のうちどちらかが、大入賞口ソレノイド（図示省略）への通電によって、所定の時間（例えば、３０秒）だけ、遊技球を受け入れない閉状態から遊技球を受け入れやすい開状態に変換される。すなわち、特別変動入賞装置が所定の時間だけ大きく開くので、この間遊技者は多くの遊技球を獲得することができるという遊技価値が付与される。なお、二つの特別変動入賞装置は、同時に開放されることはない。特別変動入賞装置への遊技球の入賞は、カウントセンサ（図示省略）によって検出される。
【００４７】
普通図柄始動ゲートへの遊技球の通過は、普図始動ゲートセンサ（図示省略）で検出される。この遊技球の通過タイミングによって抽出された普通図柄乱数カウンタ値は、遊技制御装置内の普図記憶領域に普通図柄入賞記憶として所定回数（例えば、最大で４回分）を限度に記憶される。そして、この普通図柄入賞記憶の記憶数は、普図記憶表示部に表示される。
【００４８】
普通図柄始動ゲートを遊技球が通過すると、遊技制御装置は普通図柄入賞記憶に基づいて普図表示部で普図変動表示ゲームが開始される。すなわち、普通図柄始動ゲートへの通過検出が所定のタイミングでなされたとき（具体的には、通過検出時の普通図柄乱数カウンタ値が当り値であるときには）には当り状態となり、普図表示部に表示される普通図柄が当り状態で停止する。このとき、図示しない普通変動入賞装置は、普通電動役物ソレノイド（図示省略）への通電によって、所定の時間だけ拡開するように変換される。
【００４９】
次に本体枠１３の遊技盤収納部７０に設けられた上部案内流路９４、側部案内流路９６及び下部案内流路９８について説明する。
【００５０】
図３は、本発明の実施の形態のガラス枠９が取り外され、前面枠３が開放された本体枠１３の斜視図である。
【００５１】
前述したように、前面枠３は、遊技盤ユニット５を収納するための遊技盤収納部７０を備える額縁状の枠体である。また、前面枠３には、遊技盤収納部７０の上方に前述した補給タンク２０及びタンクカバー２０２が取付けられている。さらに、前面枠３の下部には、遊技球を打球発射装置（図示省略）に案内する上皿１６が配設されており、前面枠３の下方の固定パネル１７には、下皿１８及び打球発射装置の発射操作部１９が配設されている。
【００５２】
遊技盤収納部７０の上部には、補給タンク２０の遊技球を排出する球排出装置２０１（図３では図示略、図６で後述）と、球排出装置２０１で排出された遊技球を下方へ流下案内する上部案内流路９４（図３では図示略、図６で後述）とが設けられる。また、遊技盤収納部７０の右側壁７０ｄには、遊技球を導入する流入口９６ａと、遊技球が流出する流出口９６ｂが設けられており、この流入口９６ａから流入した遊技球は、右側壁７０ｄ内部に設けた側部案内流路９６（図６で後述）を流下して流出口９６ｂから流出するようになっている。また、遊技盤収納部７０の下部を形成する遊技盤載置台７０ｃには流入口９８ａが設けられ、この流入口９８ａから流入した遊技球は、下部案内流路９８（図６で後述）を流下して上皿１６に案内される。
【００５３】
また、遊技盤収納部７０の右側後方には、上下方向の中央部分を右側壁７０ｄ側へ切り欠いて形成した右後壁７０ｅが配置されている。
【００５４】
次に遊技盤ユニット５について説明する。
【００５５】
図４は、本発明の実施の形態の遊技盤ユニット５の斜視図である。
【００５６】
図４に示すように、遊技盤ユニット５には、遊技盤ユニット５の各辺に沿う状態で第１区画部材４６、第２区画部材４７及び第３区画部材４８が止着されている。これらの区画部材が遊技盤ユニット５に止着されることで、遊技盤ユニット５から遊技機前方へ向かって起立した壁部６２によって遊技盤ユニット５の表面が区画される。これによって遊技球が転動する遊技領域７が形成される。
【００５７】
遊技盤ユニット５は、合板やプラスチックなどからなる遊技盤ベース５０の表面に、装飾用のセルシートを貼付し、該セルシートの上から遊技盤ユニット５を略円形に区画して、遊技領域７を形成するための区画部材４５を、遊技盤ユニット５の各辺に沿う状態で止着している。この区画部材４５は、発射装置から発射された遊技球が移動できる領域を区画するものであり、区画部材４５が配置されていない内側の遊技領域７にて遊技球が流下する構成となる。なお、区画部材４５は、球発射通路６８及び遊技領域７の球発射通路側（図中左側）を区画する略Ｃ字状の第１区画部材４６と、該第１区画部材４６の一端（図中右上端）に隣接した状態で遊技盤ユニット５にネジ止め等の手段によって固定され、遊技領域７の右上側を区画する第２区画部材４７と、上記第１区画部材４６の他端（図中右下端）に隣接した状態で遊技盤ユニット５にネジ止め等の手段によって固定されているとともに第２区画部材４７に隣接した状態で遊技盤ユニット５にネジ止め等の手段によって固定され、遊技領域７の右下側を区画する第３区画部材４８とに３分割して構成されている。
【００５８】
第１区画部材４６は、遊技盤ユニット５の球発射通路側（図中左側）を区画する部材であり、遊技盤ユニット５の前面側に球発射通路６８を形成する合成樹脂製の発射球案内部材６１と、該発射球案内部材６１に取り付けられる金属製のガイドレール４９と、遊技盤ユニット５の前方からガイドレール４９を発射球案内部材６１に取り付けるためのガイドレール取付部材（図示省略）とにより構成されている。
【００５９】
ガイドレール４９は、壁部６２と略同じ幅を有する帯状の金属板（例えば、ステンレス鋼板、亜鉛メッキ板等）により形成されており、壁部６２の内周面に、その長手方向に沿って円弧状に湾曲した状態で取り付けられている。
【００６０】
第２区画部材４７は、遊技領域７の左上側の外周部に円弧状の区画壁５１を一体成形している。この区画壁５１は、遊技盤ユニット５の上部から右側中央部分にかけて遊技盤ユニット５の前方に向かって起立しており、球発射通路６８から遊技領域７へ誘導された遊技球が遊技領域７の外へ飛び出さないようにしている。
【００６１】
第３区画部材４８は、遊技領域７の右下側の外周部に円弧状の区画壁５２を一体成形している。この区画壁５２は、一端（図中上端）を区画壁５１の下端に連続するように設けられており、遊技盤ユニット５の左側中央部分から下部にかけて遊技盤ユニット５の前方に向かって起立している。そして、第３区画部材４８は、前面の一部に認可シールや確率スペック等の表示シールを貼付して掲示する掲示部５３を備えている。
【００６２】
前述したように区画部材４５は、これら第１区画部材４６〜第３区画部材４８が結合して形成され、遊技盤ユニット５に取付けられている。遊技盤ユニット５の右上及び右下には、それぞれハンドル部５４が形成されている。遊技盤収納部７０の他側壁に設けた固定部材３３を９０度内側へ回動させて、このハンドル部５４に係合させることによって、遊技盤ユニット５は遊技盤収納部７０に固定される。
【００６３】
また、詳細は図５で後述するが、遊技盤ベース５０の裏面であって、第２区画部材４７が取り付けられている部分の裏側には、上部遊技盤流下路７８が形成されている。同様に、遊技盤ベース５０の裏面であって、遊技盤ユニット５の第３区画部材４８が取り付けられている部分の裏側には、下部遊技盤流下路７９が形成されている。
【００６４】
次に遊技盤ユニット５の裏面に設けられた遊技盤流下路について説明する。
【００６５】
図５は、本発明の実施の形態の遊技盤ユニット５の背面斜視図である。
【００６６】
遊技盤ユニット５の背面には、遊技盤ベース５０に、遊技球（直径１１ｍｍ）が十分に通過可能な幅及び深さの「コ」の字型の溝を形成することによって、前述した上部遊技盤流下路７８及び下部遊技盤流下路７９が設けられている。また、上部遊技盤流下路７８は、上部流入口７８ａ及び上部流出口７８ｂを備え、下部遊技盤流下路７９は、下部流入口７９ａ及び下部流出口７９ｂを備えている。
【００６７】
遊技盤ユニット５が本体枠１３に取付けられると、本体枠１３に設けられた遊技盤収納部７０の右後壁７０ｅ（図３参照）が上部遊技盤流下路７８、下部遊技盤流下路７９の溝部を覆うことによって、上部遊技盤流下路７８、下部遊技盤流下路７９の四方の壁が形成されて遊技球を流下案内可能となる。
【００６８】
また、上部遊技盤流下路７８、下部遊技盤流下路７９は、流下する遊技球の流下速度を減少させるための障害部７６を備えている。障害部７６は、上部遊技盤流下路７８、下部遊技盤流下路７９において垂直に形成された左右の壁部の一方に２個、他方に１個、流下する遊技球が衝突しつつ流下するように、三角形の突起部７７を所定の間隔を空けて突出させて設けられている。
【００６９】
この障害部７６を上部遊技盤流下路７８、下部遊技盤流下路７９に設けることによって、流下する遊技球の流下速度を減少させ、高速で遊技球が衝突することによる遊技盤ベース５０の破損を防止することができる。
【００７０】
なお、本実施の形態では、障害部７６に設けられた突起部７７は、三角形に形成されているが、これに限らず、板状、円錐状、多角錐状その他の立体形状としてもよく、また、釘等を突出させて形成してもよい。
【００７１】
次に、遊技盤ユニット５に設けられた上部遊技盤流下路７８及び下部遊技盤流下路７９と、本体枠１３に設けられた上部案内流路９４、側部案内流路９６及び下部案内流路９８との接続について説明する。
【００７２】
前述した遊技盤ユニット５を、本体枠１３の遊技盤収納部７０へ収納すると、球排出装置２０１からの遊技球が流下する案内流路９４の流出口９４ｂが、遊技盤ユニット５の上部流入口７８ａに接続される。さらに、遊技盤ユニット５の上部流出口７８ｂが、本体枠１３の側部案内流路９６の流入口９６ａに接続され、本体枠１３の側部案内流路９６の流出口９６ｂが、遊技盤ユニット５の下部流入口７９ａに接続され、遊技盤ユニット５の下部流出口７９ｂが、本体枠１３の下部案内流路９８の流入口９８ａと接続される。
【００７３】
このとき、本体枠１３に設けられた遊技盤収納部７０の右後壁７０ｅ（図３参照）が上部遊技盤流下路７８、下部遊技盤流下路７９の溝部を覆うことによって、上部遊技盤流下路７８、下部遊技盤流下路７９の四方の壁が形成され、上部遊技盤流下路７８、下部遊技盤流下路７９の中を遊技球が流下案内可能となる。
【００７４】
下部遊技盤流下路７９は、下部流入口７９ａ及び下部流出口７９ｂを備える。遊技盤ユニット５の取付けにより、下部流入口７９ａは遊技盤ユニット５の右上隅に設けられた上部遊技盤流下路７８からの遊技球が流下する側部案内流路９６の流出口９６ｂと接続され、下部流出口７９ｂは流入した遊技球を発射装置（図示省略）へ供給するために遊技球を貯留し流下案内する上皿１６に案内するための下部案内流路９８の流入口９８ａと接続されるように構成されている。このとき、側部案内流路９６は、上部遊技盤流下路７８及び下部遊技盤流下路７９と連通する連通流下路として機能する。
【００７５】
従って、遊技盤ユニット５が本体枠１３に取付けられることによって、上部遊技盤流下路７８及び下部遊技盤流下路７９が、本体枠１３に設けられている上部案内流路９４、側部案内流路９６及び下部案内流路９８と接続され、球排出装置２０１が排出する遊技球を上皿１６へ流下案内する流下経路が形成される。
【００７６】
次に、遊技機１の裏側の構成について説明する。
【００７７】
図６は、本発明の実施の形態の遊技機１の背面図である。なお、図６においては、遊技盤ユニット５（一点鎖線で示す）が遊技盤収納部７０に収納されている状態を示しているが、説明の便宜のために、本実施の形態の説明に必要な構成を記載し、説明に不要な構成（例えば、遊技盤ユニット５に配置された入賞装置など）は省略している。
【００７８】
前面枠３には、遊技盤収納部７０の下方に制御装置アッセンブリー８０が取付けられ、球払い出し制御と発射制御とを行う制御装置８１、及び電源を制御する電源装置８３を左右に並べて備え付けている。
【００７９】
さらに、前述したように、遊技盤ユニット５が本体枠１３に取付けられることによって、上部遊技盤流下路７８及び下部遊技盤流下路７９が、本体枠１３に設けられている上部案内流路９４、側部案内流路９６及び下部案内流路９８と接続され、球排出装置２０１が排出する遊技球を上皿１６へ流下案内する流下経路が形成される。
【００８０】
さらに、本体枠１３は、下部案内流路９８の途中から分岐してオーバーフローした遊技球を下皿１８側に案内するオーバーフロー流路（図示省略）の上流側部分、遊技盤ユニット５の遊技領域７から排出されたアウト球やセーフ球を流下して遊技機１の外部に排出するための使用球排出流路（図示省略）等を備えている。なお、このオーバーフロー流路の出口は遊技盤載置台７０ｃの裏側下端に取り付けたシュート流路部材（図示省略）を介して下皿１８に連通している。また、ファール球を回収する球回収流路（図示省略）の出口もシュート流路部材を介して下皿１８に連通している。したがって、オーバーフローした遊技球やファール球などはシュート流路部材を介して下皿１８に排出される。
【００８１】
さらに、アウト球受部材（図示省略）が遊技盤載置台７０ｃの切欠部内に位置して使用球排出流路の使用済み球回収口（図示省略）が遊技盤ユニット５のアウト口５７やセーフ球出口に連通可能な位置に配置される。したがって、セーフ球やアウト球は使用済みの遊技球として、シュート流路部材内に別途形成した流路を介して遊技機１の裏側に排出される。なお、球抜き流路（図示省略）内を流下した遊技球もシュート流路部材内に別途形成した上記流路を介して遊技機１の裏側に排出される。
【００８２】
このように、遊技盤ユニット５を本体枠１３に取付けることによって、球排出装置２０１から上皿１６までの遊技球の流路が確保されて、遊技に使用される遊技球が遊技の実行に伴って遊技機１内を循環することが可能となる。
【００８３】
従って、遊技盤ユニット５は、球排出装置２０１が排出する遊技球を上皿１６へ流下案内する上部遊技盤流下路７８、下部遊技盤流下路７９が形成されている遊技盤ユニットとしての機能を有する。上部遊技盤流下路７８、下部遊技盤流下路７９を遊技盤ユニット５に形成することによって、従来であれば本体枠１３側に形成していた球流下路を遊技盤ユニット５側に移設することが出来るようになり、本体枠１３に遊技球の流下路を確保するためのスペースが削減できる。その結果、遊技盤ユニット５を収納する遊技盤収納部７０の拡大が可能となり、遊技盤ユニット５を大型化することができる。
【００８４】
また、遊技盤ユニット５は、球排出装置２０１によって排出される遊技球を上部遊技盤流下路７８へ導入する上部流入口７８ａと、下部遊技盤流下路７９から流下する遊技球を上皿１６へ向けて流出する下部流出口７９ｂと、を有しており、球排出装置２０１は、本体枠１３の上部であって、上部遊技盤流下路７８の上部流入口７８ａよりも高い位置に設けられている球排出装置として機能する。遊技盤ユニット５上方のスペースに球排出装置２０１を配置することによって、遊技盤ユニット５と球排出装置２０１とが干渉しないように配置することができ、さらに遊技盤ユニット５を大型化することができる。
【００８５】
また、遊技盤収納部７０は、遊技盤ユニット５を収納した場合に遊技盤ユニット５の側部と接する位置（右側部７０ｄ）に、上部遊技盤流下路７８、下部遊技盤流下路７９と連通する上部案内流路９４、側部案内流路９６、下部案内流路９８が形成されている収納部としての機能を有し、これによって、球流下路を遊技盤ユニット５と本体枠１３に分散して設けることが可能となり、遊技盤ユニット５の裏面のデッドスペースを活かしながら、本体枠１３からできるだけ球流下路を除去して遊技盤ユニット５を大型化することができる。
【００８６】
この場合、遊技盤ユニット５に形成された遊技領域７は略円形となるがゆえに、第２区画部材４７と第３区画部材４８で挟まれた遊技領域７（図４の７ａで示された領域）にも、比較的大型の遊技用装置（画像表示装置、照明装置、入賞装置など）を配置できることが好ましい。そのため、この領域７ａの背面側に遊技用装置の後端が大きく突出しても支障がない様に球流下路を形成することが好ましい。
【００８７】
そこで、本実施形態では、遊技用装置の後端が大きく突出する可能性がある部分（領域７ａの背面）には球流下路を設けず、遊技用装置の後端が突出する可能性が無い部分（第２区画部材４７、第３区画部材４８の背面）にのみ球流下路を設けることにより、遊技盤ユニット５に取付けられる遊技用装置の大型化にも対処できるよう工夫している。
【００８８】
なお、本実施の形態では、図５に示すように、上部遊技盤流下路７８、下部遊技盤流下路７９として遊技球の流下路を二に分割して形成し、一旦流下する遊技球を本体枠１３に形成した側部案内流路９６に迂回させる構成としたが、これに限らず、図５に点線で示すように、上部遊技盤流下路７８と下部遊技盤流下路７９とを遊技盤ユニット５の裏面で直接連通させて遊技盤流下路１７８を形成しても良い。
【００８９】
このように構成すると、流下する遊技球が本体枠１３に形成された流下経路を迂回することなく遊技盤ユニット５のみを通過するようになり、遊技球が流下する流下経路を本体枠１３から除去できた分だけ、本体枠１３の構造を簡略化できる。また、本体枠１３に球流下路を確保するためのスペースが節約される結果、遊技盤ユニット５を収納する遊技盤収納部７０の拡大が可能となり、遊技盤ユニット５の大型化を図ることができる。
【００９０】
また、本実施の変形例として、図５に一点鎖線で示すように、遊技盤ベース５０の一辺に、遊技球（直径１１ｍｍ）が十分に通過可能な幅及び深さの「Ｌ」字型の溝（遊技盤流下路１７９）を形成してもよい。これにより、遊技盤ユニット５を本体枠１３に取付けた際に、遊技盤流下路１７９の左右の壁部のうち一方の壁部が本体枠１３に設けられた右側壁７０ｄを利用して形成し、他方の壁部は遊技盤ベース５０の一辺の淵部分を利用して流下経路を形成することができる。このため、流下経路を遊技盤ユニット５に形成することが容易になり、経済的かつ効率的に遊技盤ユニット５を大型化することができる。
【００９１】
また、本実施の形態では、上部遊技盤流下路７８、下部遊技盤流下路７９、遊技盤流下路１７８及び１７９のように、遊技盤ベース５０に溝を形成することによって遊技盤ユニット５に遊技盤流下路を形成したが、これに限らず、遊技盤ユニット５を上下に貫通する穴を開けて遊技盤流下路を形成してもよく、さらに遊技盤ユニット５の背面にパイプ状の部材を設けることによって、遊技盤流下路を形成してもよい。
【００９２】
また、本実施の形態では、上部遊技盤流下路７８及び下部遊技盤流下路７９のように、遊技盤ベース５０に「コ」の字型の溝を形成したが、これに限らず、「Ｕ」字型等のその他の形状の溝を設けることもできる。また、上部遊技盤流下路７８、下部遊技盤流下路７９、遊技盤流下路１７８及び１７９のように、遊技盤流下路の断面を四角形に形成したが、これに限らず、遊技盤流下路の断面の形状を、四角形以外の多角形、円形、楕円形、「Ｕ」字型等のその他の形状に形成してもよい。
【００９３】
次に本体枠１３に設けられた補給タンク２０及び球排出装置２０１について説明する。
【００９４】
図７は、本発明の実施の形態の補給タンク２０及び球排出装置２０１の分解斜視図である。なお、図７は、タンクカバー２０２に覆われている球排出装置２０１を説明するために、補給タンク２０からタンクカバー２０２を取り外した状態の図として示している。
【００９５】
補給タンク２０は、島設備から補給された遊技球を貯留するためのタンク部２１２が設けられている。タンク部２１２は、上面が開口した横長な有底箱体状に形成されている。
【００９６】
タンク部２１２の底部２３０は、長手方向の一側（遊技機１の正面から見て右側）から他側（遊技機１の正面から見て左側）に向けて下降するように傾斜している。よって、シュートから補給された遊技球は、タンク部２１２内を一側から他側へ流下して、補給タンク２０に取り付けられた球排出装置２０１に流れ込む。また、底部２３０は、タンク部２１２の後方から前方に向けて下降するように傾斜している。よって、タンク部２１２内の遊技球は、全体的にタンク部２１２の前方側へ流下する。また、底部２３０には、後述する誘導部材２６６が取り付けられている。
【００９７】
貯留タンク２０の他側の側壁には、球排出装置取付部２３１が形成されている。球排出装置取付部２３１は、補給タンク２０を平面視した場合に円弧状に形成されており、タンク部２１２の側壁高さの上半部分に相当する位置を切り欠いた状態に形成されている。
【００９８】
また、球排出装置２０１は、スイッチホルダ２３５、球排出ベース部材２３７、スプロケット（球保持回転体）２３８、モータホルダ２３９及びモータ２４０で構成される。
【００９９】
スイッチホルダ２３５は、略シャーレ状に形成されており、底部には、前面枠３に形成した案内流路９４（図６参照）に連通する排出口（図示省略）が開設されている。排出口の周囲には、排出口を囲む囲繞壁２４４が立設されている。この囲繞壁２４４で囲まれた領域は、排出口を通過する遊技球を検出するための通過センサ（図示省略）が収容される。通過センサは、排出口に連通するスルーホールと感磁素子を有し、遊技球がスルーホールを通過した際の磁界強度変化を検出して検出信号を出力する。
【０１００】
そして、スプロケット２３８が一回転すると、スプロケット２３８の円周に積み重なって保持された遊技球のうち後述する各球保持部２６０一番下に保持されている遊技球１０個が払い出される。このように、遊技機１で遊技球がいずれかの入賞口に入賞すると、排出制御装置（図示省略）の制御によってモータ２４０が作動して、スプロケット２３８が回転方向Ｒに正転し、補給タンク２０の遊技球が遊技者に対して払い出される。なお、遊技球を排出口（図示省略）から排出するときのスプロケット２３８の回転方向をＲとする。
【０１０１】
スプロケット２３８は、振分穴部材の軸穴（図示省略）に、スプロケット２３８の下部に設けられた回転軸を垂直方向に差し込んで、スプロケット収容部２５７内に回転可能に収容される。
【０１０２】
スプロケット２３８は、遊技球を保持可能な縦溝状の球保持部２６０を、外周縁部の周方向に等間隔で１０個備える。球保持部２６０は、スプロケット２３８を平面視した場合に、遊技球の外形に倣った円弧状の切欠によって構成されている。隣接する球保持部２６０は、区画壁（羽）２６１によって区画されている。区画壁２６１は、スプロケット２３８の上部側よりも下部側で、スプロケット径方向の突出長さを短くして形成されているため、スプロケット２３８が回転しても、遊技球が球排出路へ流入するのを妨げない。
【０１０３】
スプロケット収容部２５７の内径は、スプロケット２３８の外径よりも僅かに大きく形成されている。そして、スプロケット収容部２５７の内周面と、スプロケット２３８の球保持部２６０とで形成される各空間内には、最大で３つの遊技球が縦方向に積み重なって保持される。つまり、スプロケット２３８をスプロケット収容部２５７に収容させた状態で、スプロケット収容部２５７の内周面とスプロケット２３８の球保持部２６０との間の空間に、最大で合計３０個の遊技球が保持される。
【０１０４】
スプロケット２３８の上部には、モータ２４０の駆動軸（図示省略）を取り付けるための駆動軸取付部２６２が突設されている。駆動軸取付部２６２の先端には、モータホルダ２３９を間に介在させた状態で、モータ２４０が取り付けられる。
【０１０５】
モータホルダ２３９は、球排出装置取付部２３１の上部に形成された切り欠きの形状に倣った略半円状に形成されている。そして、モータホルダ２３９は、球排出ベース部材２３７の側部の上端面に装着された状態で、球排出装置取付部２３１に取り付けられる。つまり、モータホルダ２３９の下面は、球排出ベース部材２３７の天井面となる。
【０１０６】
モータホルダ２３９は、略中央に貫通孔２６３が設けられている。そして、貫通孔２６３の下方にスプロケット２３８の駆動軸取付部２６２を位置させて、上面にモータ２４０を取り付けることで、スプロケット２３８とモータ２４０とを接続させた状態で球排出ベース部材２３７に取り付ける。
【０１０７】
モータホルダ２３９の一側の縁（タンク部２１２側の縁）には、遮蔽壁２６４が上方に向けて立設されている。遮蔽壁２６４は、横長な矩形の板状部材であって、タンク部２１２の幅と同一の幅に形成されている。また、遮蔽壁２６４の高さは、モータホルダ２３９を球排出ベース部材２３７に装着して球排出装置取付部２３１に取り付けた状態で、上端面がタンク部２１２の側壁の上端と同一になるように形成されている。遮蔽壁２６４は、タンク部２１２の遊技球がモータ２４０側に流入するのを防止する。
【０１０８】
また、モータホルダ２３９の一側の縁には、短冊状の球ならし部材２６５が設けられている。球ならし部材２６５は、モータホルダ２３９を球排出ベース部材２３７に取り付けた場合に、スプロケット２３８の斜め上方に位置する。球ならし部材２６５は、各先端をタンク部２１２の側に向けて突出させ、タンク部２１２の幅方向に櫛歯状に六つ配設されている。そして、球ならし部材２６５は、底部２３０との間に形成される空間によって、タンク部２１２からスプロケット２３８への遊技球の案内流路を形成する。
【０１０９】
モータ２４０は、スプロケット２３８を回転又は停止させるための駆動源であって、例えば、ステッピングモータで構成される。モータ２４０は、排出制御装置によって作動が制御される。具体的には、排出制御装置からモータ２４０に所定数のパルス信号が発信されると、モータ２４０は所定の角度だけ回転し、スプロケット２３８はモータ２４０に同期して所定の角度だけ回転（正転又は逆転）される。
【０１１０】
タンク部２１２の底部２３０に、二つの長辺と、円弧状に切り欠いた短辺とからなる略三角形状に形成されている誘導部材２６６が設けられている。誘導部材２６６は、一方の長辺をタンク部２１２の側壁に接した状態で底部２３０に取り付けられ、底部２３０を流下する遊技球を、もう一方の長辺によってスプロケット２３８の下流側へ誘導する。その結果、スプロケット２３８に保持された状態で回転している遊技球と、タンク部２１２の一側から流下する遊技球とが、スプロケット２３８の上流側で衝突して回転を阻害することを抑制することができる。
【０１１１】
なお、正転するスプロケット２３８の回転方向Ｒと、タンク部２１２からスプロケット２３８へ流下する遊技球の流下方向とが同一となる側（補給タンク２０を一側から他側へ臨んだ場合のスプロケット２３８の左側）を下流側とし、正転するスプロケット２３８の回転方向Ｒと、タンク部２１２からスプロケット２３８へ流下する遊技球の流下方向とが反対となる側（補給タンク２０を一側から他側へ臨んだ場合のスプロケット２３８の右側）を上流側とする。つまり、補給タンク２０の前方側がスプロケット２３８の下流側に相当し、補給タンク２０の後方側からスプロケット２３８の上流側に相当する。
【０１１２】
以上の機構によって、スプロケット２３８に保持された遊技球は、球排出装置２０１から次のように排出される。
【０１１３】
タンク部２１２に補給された遊技球は、底部２３０の傾斜、誘導部材２６６及び球ならし部材２６５によってスプロケット２３８の下流側へと誘導される。そしてスプロケット２３８へ流れ込み、スプロケット２３８の球保持部２６０に保持される。スプロケット２３８に保持しきれなかった遊技球はスプロケット２３８の上方に貯留される。ただし、球ならし部材２６５及びモータホルダ２３９によってスプロケット２３８の上方の空間の高さは制限されている。よって、スプロケット２３８の上方の空間に入りきれない遊技球は、タンク部２１２に他側から一側へ積み重なって貯留されていく。
【０１１４】
スプロケット２３８は、１つの球保持部２６０に縦方向に最大３つまで遊技球を保持することができる。最下段の遊技球は、振分穴部材の摺動ステージ上に位置する。そして、遊技機１のいずれかの入賞口に遊技球が入賞すると、排出制御装置の制御によってモータ２４０が作動してスプロケット２３８が正転し、最下段の遊技球は、このスプロケット２３８の回転に伴って摺動ステージ上を摺動する。最下段の遊技球が露出穴まで移動すると、この露出穴の縁部が摺動ステージ側から排出口に向けて傾斜しているため、遊技球は、球排出路に流入する。球排出路に流入した遊技球は、案内爪によって通過センサを通過する。通過センサは、この遊技球の通過を検出し、検出信号を排出制御装置に出力する。そして、通過センサを通過した遊技球は、排出口から排出される。
【０１１５】
一方、球排出路に流入した遊技球の１つ上（下から２段目）の遊技球は、スプロケット収容部２５７の側壁下縁から内側に向けて突設された遮蔽板の上部に移動して、球排出路への流入が阻止される。よって、下から２段目の遊技球は、排出口から排出されない。その後、下から２段目の遊技球は、スプロケット２３８の回転に伴って遮蔽板から規制壁部２５０の上端面に乗り移り、さらにスプロケット２３８が回転すると、規制壁部２５０の上端面から下方に落下する。このとき、規制壁部２５０の庇部が球抜口の上方から延出しているため、遊技球は、球抜口に流入することなく、摺動ステージ上に落下する。
【０１１６】
このようにして、補給タンク２０の遊技球は、球排出装置２０１によって案内流路９４に連通する排出口から１つずつ排出され、案内流路９４を通じて賞球又は貸球として遊技機１前面の上皿１６に排出される。
【０１１７】
このように、球排出装置２０１は、補給タンク２０が貯留する遊技球を上皿１６へ排出する球排出装置として機能する。
【０１１８】
以上説明したように、本実施の形態では、遊技盤ユニット５は、球排出装置２０１によって排出される遊技球を上皿１６へ流下案内する球流下路（上部遊技盤流下路７８、下部遊技盤流下路７９）が形成されているので、従来であれば本体枠１３側に形成していた球流下路を遊技盤ユニット５側に移設することが出来るようになり、その分だけ、本体枠１３に球流下路を確保するためのスペースが削減できる。その結果、遊技盤ユニット５を収納する遊技盤収納部７０の拡大が可能となり、遊技盤ユニット５を大型化することができる。
【０１１９】
さらに、遊技盤ユニット５は、球排出装置２０１によって排出される遊技球を上部遊技盤流下路７８へ導入する上部流入口７８ａと、下部遊技盤流下路７９から流下する遊技球を上皿１６へ向けて流出する下部流出口７９ｂと、を有し、球排出装置２０１は、本体枠１３の上部であって、上部流入口７８ａよりも高い位置に設けられているので、遊技盤ユニット５上方のスペースに球排出装置２０１を配置することによって、遊技盤ユニット５と球排出装置２０１とが干渉しないように配置することができ、さらに遊技盤ユニット５を大型化することができる。
【０１２０】
さらに、遊技盤ユニット５の裏面には凹部が形成され、遊技盤収納部７０の一部（右後壁７０ｅ）がこの凹部を覆うことによって、球流下路（上部遊技盤流下路７８、下部遊技盤流下路７９）が形成されるので、遊技盤ユニット５の裏面のデッドスペースを活かしながら、球流下路の構造の簡略化を図ることができる。
【０１２１】
さらに、遊技盤ユニット５は、遊技領域７を形成する区画部材４５を表面側の隅部に備え、表面側に区画部材４５が設けられている位置の裏面側に球流下路（上部遊技盤流下路７８、下部遊技盤流下路７９）が形成され、遊技盤収納部７０には、遊技盤ユニット５を収納した場合に遊技盤ユニット５の側部と接する位置に、上部遊技盤流下路７８、下部遊技盤流下路７９と連通する案内流路（側部上部案内流路９６）が形成されているので、球流下路を遊技盤ユニット５と本体枠１３に分散して設けることが可能となり、遊技盤ユニット５の裏面のデッドスペースを活かしながら、本体枠１３からできるだけ球流下路を除去することによって遊技盤ユニット５を大型化することができる。
【０１２２】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【０１２３】
以上のように本発明は、遊技球払出機能を備えたパチンコ機等の遊技機に適用することができる。
【図面の簡単な説明】
【０１２４】
【図１】本発明の実施の形態の遊技機の構成を示す斜視図である。
【図２】本発明の実施の形態の遊技機のガラス枠が開放された遊技機の斜視図である。
【図３】本発明の実施の形態のガラス枠が取り外され、前面枠が開放された本体枠の斜視図である。
【図４】本発明の実施の形態の遊技盤ユニットの構成を示す斜視図である。
【図５】本発明の実施の形態の遊技盤ユニットの構成を示す背面斜視図である。
【図６】本発明の実施の形態の遊技機の構成を示す背面図である。
【図７】本発明の実施の形態の補給タンク及び球排出装置の分解斜視図である。
【符号の説明】
【０１２５】
１  遊技機
５  遊技盤ユニット
１３  本体枠
１６  上皿
２０  補給タンク
７０  遊技盤収納部
７８  上部遊技盤流下路
７８ａ  上部流入口
７８ｂ  上部流出口
７９  下部遊技盤流下路
７９ａ  下部流入口
７９ｂ  下部流出口
９４  上部案内流路
９６  側部案内流路
９８  下部案内流路
２０１  球排出装置
【図２】
2007236816.tif 000003
【図３】
2007236816.tif 000004
【図４】
2007236816.tif 000005
【図５】
2007236816.tif 000006
【図６】
2007236816.tif 000007
【図７】
2007236816.tif 000008
【図１】
2007236816.tif 000009